(57)【要約】【目的】  本発明は多種の物を干すことができるハンガーを得る。【構成】  ハンガーＨ１は、竿部１００と、第１吊り下げ支持部２００ａと、第２吊り下げ支持部２００ｂとを備えている。竿部１００の第１端部１１１ａは、そのＸ方向の端部に設けられた第１係合部１１２ａと、その第１係合部１１２ａよりもＸ’方向側に設けられた第２係合部１１３ａとを有し、竿部１００の第２端部１１１ｂは、そのＸ’方向の端部に設けられた第３係合部１１２ｂと、その第３係合部１１２ｂよりもＸ方向側に設けられた第４係合部１１３ｂとを有している。第１吊り下げ支持部２００ａの第１部２１０ａは第１係合部１１２ａ及び第２係合部１１３ａの何れか一方に付け替え可能に係合される。第２吊り下げ支持部２００ｂの第３部２１０ｂは第３係合部１１２ｂ及び第４係合部１１３ｂの何れか一方に付け替え可能に係合される。【選択図】      図１Ｅ
2018023782.tif 000002
【特許請求の範囲】
【請求項１】
竿部と、
第１吊り下げ支持部と、
第２吊り下げ支持部とを備えており、
前記竿部は、第１方向の一方側の第１端部と、前記第１方向の他方側の第２端部とを有しており、
前記第１端部は、当該第１端部の前記第１方向の一方側の端部に設けられた第１係合部と、当該第１端部の前記第１係合部よりも前記第１方向の他方側に設けられた第２係合部とを有しており、
前記第２端部は、当該第２端部の前記第１方向の一方側の端部に設けられた第３係合部と、当該第２端部の前記第３係合部よりも前記第１方向の他方側に設けられた第４係合部とを有しており、
前記第１吊り下げ支持部は、第１部と、第２部とを有しており、前記第１部は、前記竿部の前記第１端部の前記第１係合部及び前記第２係合部の何れか一方に付け替え可能に係合されており、
前記第２吊り下げ支持部は、第３部と、第４部とを有しており、前記第３部は、前記竿部の前記第２端部の前記第３係合部及び前記第４係合部の何れか一方に付け替え可能に係合されており、
前記第１吊り下げ支持部の前記第２部と前記第２吊り下げ支持部の前記第４部が、直接的又は間接的に連結可能であるハンガー。
【請求項２】
竿部と、
第１吊り下げ支持部と、
第２吊り下げ支持部とを備えており、
前記竿部は、第１方向の一方側の第１端部と、前記第１方向の他方側の第２端部とを有しており、
前記第１吊り下げ支持部は、第１部と、第２部とを有しており、前記第１部は、前記竿部の前記第１端部に、当該第１端部の前記第１方向の一方側の端部から前記第１方向の他方側へ移動可能に接続されており、
前記第２吊り下げ支持部は、第３部と、第４部とを有しており、前記第３部は、前記竿部の前記第２端部に、当該第２端部の前記第１方向の他方側の端部から前記第１方向の一方側へ移動可能に接続されており、
前記第１吊り下げ支持部の前記第２部と前記第２吊り下げ支持部の前記第４部が、直接的又は間接的に連結可能であるハンガー。
【請求項３】
請求項１又は２記載のハンガーにおいて、
前記竿部は、前記第１方向に並ぶ複数のパーツを有しており、前記パーツのうち隣り合う二つのパーツが着脱可能に連結されているハンガー。
【請求項４】
請求項１又は２記載のハンガーにおいて、
前記竿部は、前記第１端部と前記第２端部との間に設けられており且つ展開位置から折り畳み位置にかけて折り曲げ可能な折り曲げ部を有しており、
前記展開位置は、前記竿部の前記第１端部が前記第１方向の一方側に向き、且つ前記竿部の前記第２端部が前記第１方向の他方側に向く位置であり、
前記折り畳み位置は、前記竿部の前記第１端部と前記竿部の前記第２端部とが互いに沿う又は当接する位置であるハンガー。
【請求項５】
請求項１又は２記載のハンガーにおいて、
前記竿部は、前記第１方向に伸縮可能な構成であるハンガー。
【請求項６】
請求項１〜５の何れかに記載のハンガーにおいて、
前記第１吊り下げ支持部及び前記第２吊り下げ支持部は可撓性を有しているハンガー。
【請求項７】
請求項１〜６の何れかに記載のハンガーにおいて、
係合手段を更に備えており、
前記係合手段は、互いに連結された前記第１吊り下げ支持部の前記第２部及び前記第２吊り下げ支持部の前記第４部の少なくとも一方が接続されているハンガー。
【請求項８】
請求項１〜６の何れかに記載のハンガーにおいて、
係合手段を更に備えており、
前記第１吊り下げ支持部の前記第２部及び前記第２吊り下げ支持部の前記第４部は、前記係合手段を介して連結されているハンガー。
【発明の詳細な説明】
【技術分野】
【０００１】
本発明はハンガーに関する。
【背景技術】
【０００２】
登山等では、登山者は雨に濡れることがあるため、濡れた衣類を干すためにハンガーを持ち歩くことがある。このような従来のハンガーが下記特許文献１に記載されている。このハンガーは、二つ折り可能な衣服掛け部と、衣服掛け部に吊り下げられた複数のクリップと、衣服掛け部を吊り下げるためのＨ字状の吊り紐と、吊り紐の二つの上端に各々連結された二つのカラビナとを備えている。カラビナをリュックに係合させ、衣服掛け部に衣服を掛け、当該衣服をクリップで留めることによって、登山者が歩きながら、洗濯物を乾かすことができるようになっている。
【先行技術文献】
【特許文献】
【０００３】
【特許文献１】実用新案登録第３１４３３５１号公報
【発明の概要】
【発明が解決しようとする課題】
【０００４】
ところで、登山者が雨に濡れるときには、衣服だけでなく、リュック、靴及び靴下等の多種の物が同時に濡れる。これらについても、宿泊所で干し、乾かすことが求められている。
【０００５】
本発明は、上記事情に鑑みて創案されたものであって、その目的とするところは、衣類だけでなく、多種の物を干すことができるハンガーを提供することにある。
【課題を解決するための手段】
【０００６】
上記課題を解決するために、本発明の一態様のハンガーは、竿部と、第１吊り下げ支持部と、第２吊り下げ支持部とを備えている。竿部は、第１方向の一方側の第１端部と、第１方向の他方側の第２端部とを有している。第１端部は、第１係合部と、第２係合部とを有している。第１係合部は、第１端部の第１方向の一方側の端部に設けられている。第２係合部は、第１端部の第１係合部よりも第１方向の他方側に設けられている。第２端部は、第３係合部と、第４係合部とを有している。第３係合部は、第２端部の第１方向の一方側の端部に設けられている。第４係合部は、第２端部の第３係合部よりも第１方向の他方側に設けられている。第１吊り下げ支持部は、第１部と、第２部とを有している。第１部は、竿部の第１端部の第１係合部及び第２係合部の何れか一方に付け替え可能に係合されている。第２吊り下げ支持部は、第３部と、第４部とを有している。第３部は、竿部の第２端部の第３係合部及び第４係合部の何れか一方に付け替え可能に係合されている。第１吊り下げ支持部の第２部と第２吊り下げ支持部の第４部が、直接的又は間接的に連結されている。
【０００７】
このような態様のハンガーによる場合、多種の物を干すことができる。具体的には以下の通りである。第１吊り下げ支持部の第１部が第１係合部に、第２吊り下げ支持部の第３部が第３係合部に係合された状態で、第１吊り下げ支持部が上着の一対の肩部の一方を支持可能になり、第２吊り下げ支持部が衣服の肩部の他方を支持可能になるので、この状態のハンガーは、上着をかけるのに適する。一方、第１吊り下げ支持部の第１部が第２係合部に、第２吊り下げ支持部の第３部が第３係合部に係合されているときには、竿部の第１端部の第２係合部よりも第１方向の一方側の部分が第１部よりも第１方向の一方側に延出し（第１延出部）、竿部の第２端部の第４係合部よりも第１方向の他方側の部分が第３部よりも第１方向の他方側に延出する（第２延出部）。よって、竿部の第１端部の第１延出部にリュックの一対のショルダーストラップの一方を掛け、且つ竿部の第２端部の第２延出部にリュックのショルダーストラップの他方を掛けたり、竿部の第１端部の第１延出部に一対の靴の一方又は一対の靴下の一方を掛け、且つ竿部の第２端部の第２延出部に靴の他方又は靴下の他方を掛けたりすることができる。
【０００８】
本発明の別の態様のハンガーは、第１吊り下げ支持部の第１部が、第１係合部及び第２係合部の何れか一方に付け替え可能に係合されるのではなく、竿部の第１端部に、第１端部の第１方向の一方側の端部から第１方向の他方側へ移動可能に接続されており、第２吊り下げ支持部の第３部が、第３係合部及び第４係合部の何れか一方に付け替え可能に係合されるのではなく、竿部の第２端部に、第２端部の第１方向の他方側の端部から第１方向の一方側へ移動可能に接続されている。
【０００９】
このような態様のハンガーによる場合、第１吊り下げ支持部の第１部を竿部の第１端部の第１方向の一方側の端部に位置させ、且つ第２吊り下げ支持部の第３部を竿部の第２端部の第１方向の他方側の端部に位置させた状態で、第１吊り下げ支持部が上着の肩部の一方を支持可能になり、第２吊り下げ支持部が衣服の肩部の他方を支持可能になるので、この状態のハンガーは、上着をかけるのに適する。一方、第１吊り下げ支持部の第１部を竿部の第１端部の第１方向の一方側の端部から第１方向の他方側に移動させ、第２吊り下げ支持部の第３部を竿部の第２端部の第１方向の他方側の端部から第１方向の一方側に移動させた状態で、竿部の第１端部の第１部よりも第１方向の一方側の部分が第１部よりも第１方向の一方側に延出し（第１延出部）、竿部の第２端部の第３部よりも第１方向の他方側の部分が第３部よりも第１方向の他方側に延出する（第２延出部）。よって、竿部の第１端部の第１延出部にリュックのショルダーストラップの一方を掛け、且つ竿部の第２端部の第２延出部にリュックのショルダーストラップの他方を掛けたり、竿部の第１端部の第１延出部に靴の一方又は靴下の一方を掛け、且つ竿部の第２端部の第２延出部に靴の他方又は靴下の他方を掛けたりすることができる。
【００１０】
竿部は、第１方向に並ぶ複数のパーツを有する構成とすることが可能である。この場合、パーツのうち隣り合う二つのパーツが着脱可能に連結された構成とすることが可能である。このような態様のハンガーは、竿部が複数のパーツに分離することによって、コンパクトになるので、当該ハンガーの可搬性が向上する。
【００１１】
竿部は、折り曲げ部を更に有する構成とすることが可能である。折り曲げ部は、第１端部と第２端部との間に設けられており且つ展開位置から折り畳み位置にかけて折り曲げ可能な構成とすることが可能である。展開位置は、竿部の第１端部が第１方向の一方側に向き、且つ竿部の第２端部が第１方向の他方側に向く位置とすることが可能である。折り畳み位置は、竿部の第１端部と竿部の第２端部とが互いに沿う又は当接する位置とすることが可能である。このような態様のハンガーは、竿部を折り曲げ部で折り曲げることによって、コンパクトになるので、当該ハンガーの可搬性が向上する。
【００１２】
竿部は、第１方向に伸縮可能な構成とすることが可能である。このような態様のハンガーは、竿部を縮めることによって、コンパクトになるので、当該ハンガーの可搬性が向上する。
【００１３】
第１吊り下げ支持部及び第２吊り下げ支持部は可撓性を有する構成とすることが可能である。例えば、第１吊り下げ支持部及び第２吊り下げ支持部は、紐や鎖等で構成することが可能である。このような態様のハンガーは、第１吊り下げ支持部及び第２吊り下げ支持部を可撓させることによって、コンパクトになるので、当該ハンガーの可搬性が向上する。
【００１４】
上記した何れかの態様のハンガーは、係合手段を更に備えた構成とすることが可能である。係合手段に、互いに連結された第１吊り下げ支持部の第２部及び第２吊り下げ支持部の第４部の少なくとも一方が接続された構成とすることが可能である。又は、第１吊り下げ支持部の第２部及び第２吊り下げ支持部の第４部が、係合手段を介して連結されていても良い。
【図面の簡単な説明】
【００１５】
【図１Ａ】本発明の実施例１に係るハンガーの正面図であって、前記ハンガーの第１吊り下げ支持部が竿部の第１係合部に、前記ハンガーの第２吊り下げ支持部が竿部の第３係合部に係合された状態を示す図である。
【図１Ｂ】前記ハンガーの平面図である。
【図１Ｃ】前記ハンガーの底面図である。
【図１Ｄ】前記ハンガーの右側面図である。
【図１Ｅ】前記ハンガーの縦断面である。
【図１Ｆ】前記ハンガーの正面図であって、前記ハンガーの第１吊り下げ支持部が竿部の第２係合部に、前記ハンガーの第２吊り下げ支持部が竿部の第４係合部に係合された状態を示す図である。
【図１Ｇ】前記ハンガーの前記竿部の二つのパーツを分離した状態を示す正面図である。
【図２Ａ】実施例１に係るハンガーの設計変更例の正面図であって、前記ハンガーの第１吊り下げ支持部が竿部の第１係合部に、前記ハンガーの第２吊り下げ支持部が竿部の第３係合部に係合された状態を示す図である。
【図２Ｂ】前記設計変更例のハンガーの平面図である。
【図２Ｃ】前記設計変更例のハンガーの底面図である。
【図２Ｄ】前記設計変更例のハンガーの右側面図である。
【図２Ｅ】前記ハンガーの縦断面である。
【図２Ｆ】前記設計変更例のハンガーの正面図であって、前記ハンガーの第１吊り下げ支持部が竿部の第２係合部に、前記ハンガーの第２吊り下げ支持部が竿部の第４係合部に係合された状態を示す図である。
【図３Ａ】前記設計変更例のハンガーの正面図であって、前記竿部を三つのパーツを連結して構成した状態を示す図である。
【図３Ｂ】前記設計変更例のハンガーの正面図であって、前記竿部を三つのパーツを連結して構成した状態で、前記ハンガーの第１吊り下げ支持部が竿部の第２係合部に、前記ハンガーの第２吊り下げ支持部が竿部の第４係合部に係合された状態を示す図である。
【図４】本発明の実施例２に係るハンガーの正面図であって、前記ハンガーの第１吊り下げ支持部が竿部の第１係合部に、前記ハンガーの第２吊り下げ支持部が竿部の第３係合部に係合された状態を示す図である。
【図５】本発明の実施例３に係るハンガーの正面図である。
【図６】本発明の実施例４に係るハンガーの縦断面図である。
【発明を実施するための形態】
【００１６】
以下、本発明の複数の実施例について説明する。
【実施例１】
【００１７】
以下、本発明の実施例１を含む複数の実施例に係るハンガーＨ１について、図１Ａ〜図１Ｇを参照しつつ説明する。図１Ａ〜図１Ｇには、実施例１に係るハンガーＨ１が示され、図２Ａ〜図３Ｂには、実施例１の設計変更例に係るハンガーＨ１が示されている。
【００１８】
ハンガーＨ１は、竿部１００と、第１吊り下げ支持部２００ａと、第２吊り下げ支持部２００ｂとを備えている。図１Ａ、図１Ｅ、図２Ａ、図２Ｅ及び図３Ａに示されるＸ−Ｘ’方向は、竿部１００の長手方向及び特許請求の範囲の第１方向に相当する。Ｘ方向は第１方向の一方、Ｘ’方向は第１方向の他方に相当する。図１Ａ、図１Ｅ、図２Ａ、図２Ｅ及び図３Ａに示されるＺ−Ｚ’方向は、Ｚ−Ｚ’方向に直交している。
【００１９】
竿部１００は、第１吊り下げ支持部２００ａ及び第２吊り下げ支持部２００ｂに吊り下げ支持されるものであれば良い。竿部１００は、例えば、図１Ａ〜図３Ｂに示されるように、Ｘ−Ｘ’方向に直線状に延びた棒又は筒とすることが可能である。又は、竿部１００は、Ｘ−Ｘ’方向に延び且つＺ方向又はＺ’方向に凸の円弧状又は逆Ｖ字状の棒又は筒とすることが可能である。又は、竿部１００は、Ｘ−Ｘ’方向に延びた略Ω字状の棒又は筒とすることが可能である。
【００２０】
竿部１００は、第１端部１１１ａと、第２端部１１１ｂとを有している。第１端部１１１ａは竿部１００のＸ方向の端部であり、第２端部１１１ｂは竿部１００のＸ’方向の端部である。第１端部１１１ａは第１係合部１１２ａ及び第２係合部１１３ａを有し、第２端部１１１ｂは第３係合部１１２ｂ及び第４係合部１１３ｂを有している。第１係合部１１２ａは第１端部１１１ａのＸ方向の端部に設けられており、第２係合部１１３ａは第１端部１１１ａの第１係合部１１２ａよりもＸ’方向側に設けられている。第３係合部１１２ｂは第２端部１１１ｂのＸ’方向の端部に設けられており、第４係合部１１３ｂは第２端部１１１ｂの第３係合部１１２ｂよりもＸ方向側に設けられている。
【００２１】
第１係合部１１２ａ及び第２係合部１１３ａは、第１吊り下げ支持部２００ａの第１部２１０ａを着脱可能に係合できるものであれば良い。例えば、第１係合部１１２ａ及び第２係合部１１３ａは、図１Ａ〜図３Ｂに示されるように、第１端部１１１ａをＺ−Ｚ’方向に各々貫通する係合孔とすることが可能である。
【００２２】
第３係合部１１２ｂ及び第４係合部１１３ｂは、第２吊り下げ支持部２００ｂの第３部２１０ｂを着脱可能に係合できるものであれば良い。例えば、第３係合部１１２ｂ及び第４係合部１１３ｂは、図１Ａ〜図３Ｂに示されるように、第２端部１１１ｂをＺ−Ｚ’方向に各々貫通する係合孔とすることが可能である。
【００２３】
第１吊り下げ支持部２００ａ及び第２吊り下げ支持部２００ｂは、図１Ａ〜図３Ｂに示されるように可撓性を有する部材（例えば、紐や鎖）で構成されていても良いし、リジットな部材（例えば、線材や棒）で構成されていても良い。第１吊り下げ支持部２００ａは、竿部１００の第１端部１１１ａを吊り下げ支持し、第２吊り下げ支持部２００ｂは、竿部１００の第２端部１１１ｂを吊り下げ支持する。第１吊り下げ支持部２００ａは第１部２１０ａ及び第２部２２０ａを有している。第２吊り下げ支持部２００ｂは第３部２１０ｂ及び第４部２２０ｂを有している。
【００２４】
第１吊り下げ支持部２００ａの第１部２１０ａは、第１吊り下げ支持部２００ａの第２部２２０ａに対してＺ’方向側の部分であって、第１係合部１１２ａ及び第２係合部１１３ａの何れか一方に付け替え可能に係合される構成であれば良い。例えば、第１部２１０ａは、図１Ａ〜図３Ｂに示されるように第１吊り下げ支持部２００ａのＺ’方向の端部とすることができるし、第１吊り下げ支持部２００ａの中間部とすることが可能である。第１係合部１１２ａ及び第２係合部１１３ａが上記係合孔である場合、第１部２１０ａは、更に以下の１）又は２）の構成とすることが可能である。１）第１部２１０ａは、第１係合部１１２ａ及び第２係合部１１３ａの何れか一方に挿通され、そのＺ’方向側で固定されている。第１部２１０ａの前記固定は、図１Ａ〜図３Ｂに示されるように、第１部２１０ａが第１係合部１１２ａ及び第２係合部１１３ａの何れか一方のＺ’方向側で結ばれていても良いし、第１部２１０ａが第１係合部１１２ａ及び第２係合部１１３ａの何れか一方のＺ’方向側でピンや樹脂キャップ等が着脱可能に留められていても良い。２）第１部２１０ａは、第１係合部１１２ａ及び第２係合部１１３ａの何れか一方に付け替え可能に係合されるフックやカラビナ等の係合手段を有している。
【００２５】
第２吊り下げ支持部２００ｂの第３部２１０ｂは、第２吊り下げ支持部２００ｂの第４部２２０ｂに対してＺ’方向側の部分であって、第３係合部１１２ｂ及び第４係合部１１３ｂの何れか一方に付け替え可能に係合される構成であれば良い。例えば、第３部２１０ｂは、図１Ａ〜図３Ｂに示されるように第２吊り下げ支持部２００ｂのＺ’方向の端部とすることができるし、第２吊り下げ支持部２００ｂの中間部とすることが可能である。第３係合部１１２ｂ及び第４係合部１１３ｂが上記係合孔である場合、第３部２１０ｂは、更に以下の１）又は２）の構成とすることが可能である。１）第３部２１０ｂは、第３係合部１１２ｂ及び第４係合部１１３ｂの何れか一方に挿通され、そのＺ’方向側で固定されている。第３部２１０ｂの前記固定は、図１Ａ〜図３Ｂに示されるように、第３部２１０ｂが第３係合部１１２ｂ及び第４係合部１１３ｂの何れか一方のＺ’方向側で結ばれていても良いし、第３部２１０ｂが第３係合部１１２ｂ及び第４係合部１１３ｂの何れか一方のＺ’方向側でピンや樹脂キャップ等が着脱可能に留められていても良い。２）第３部２１０ｂは、第３係合部１１２ｂ及び第４係合部１１３ｂの何れか一方に付け替え可能に係合される構成フックやカラビナ等の係合手段を有している。
【００２６】
第１部２１０ａが第１係合部１１２ａに係合され且つ第３部２１０ｂが第３係合部１１２ｂに係合された状態（図１Ａ〜図１Ｅ、図２Ａ〜図２Ｅおよび図３Ａ参照）で、第１吊り下げ支持部２００ａは図示しない上着の一対の肩の一方を支持可能なハンガーＨ１の一方の肩部となり、且つ第２吊り下げ支持部２００ｂは上着の前記肩の他方を支持可能なハンガーＨ１の他方の肩部となる。一方、第１部２１０ａが第２係合部１１３ａに係合され且つ第３部２１０ｂが第４係合部１１３ｂに係合された状態（図１Ｆ、図２Ｆおよび図３Ｂ参照）で、竿部１００の第１端部１１１ａの第２係合部１１３ａよりもＸ方向側の部分が、第１吊り下げ支持部２００ａの第１部２１０ａよりもＸ方向に延出し、竿部１００の第２端部１１１ｂの第４係合部１１３ｂよりもＸ’方向側の部分が、第２吊り下げ支持部２００ｂの第３部２１０ｂよりもＸ’方向に延出する。以下、第１端部１１１ａの延出部を第１延出部と称し、第２端部１１１ｂの延出部を第２延出部と称する。第１延出部にリュックの一対のショルダーストラップの一方、一対の靴の一方又は一対の靴下の一方等を掛け、第２延出部にリュックの一対のショルダーストラップの他方、一対の靴の他方又は一対の靴下の他方等を掛けることが可能になる。
【００２７】
第２部２２０ａは、第１吊り下げ支持部２００ａの第１部２１０ａに対してＺ方向側の部分であれば良い。例えば、第２部２２０ａは、図１Ａ〜図３Ｂに示されるように第１吊り下げ支持部２００ａのＺ方向の端部とすることができるし、第１吊り下げ支持部２００ａの中間部とすることが可能である。
【００２８】
第４部２２０ｂは、第２吊り下げ支持部２００ｂの第３部２１０ｂに対してＺ方向側の部分であれば良い。例えば、第４部２２０ｂは、図１Ａ〜図３Ｂに示されるように第１吊り下げ支持部２００ａのＺ方向の端部とすることができるし、第１吊り下げ支持部２００ａの中間部とすることが可能である。
【００２９】
第１吊り下げ支持部２００ａの第２部２２０ａと第２吊り下げ支持部２００ｂの第４部２２０ｂは、直接的又は間接的に連結可能であれば良い。図１Ａ〜図３Ｂでは、第２部２２０ａと第４部２２０ｂとが互いに結ばれ、直接的に連結されている。又は、第２部２２０ａ及び第４部２２０ｂが連結部材を介して間接的に連結されていても良い。又は、第２部２２０ａ及び第４部２２０ｂが物干し竿や家屋の梁等に結ばれ、間接的に連結されるようになっていても良い。
【００３０】
上記した何れかの態様のハンガーＨ１は、係合手段３００を更に備えた構成とすることが可能である。係合手段３００はフックやカラビナ等であって、物干し竿や家屋の窓枠等に係合可能である。係合手段３００は、図１Ａ〜図３Ｂに示されるように互いに連結された第２部２２０ａ及び第４部２２０ｂの一方が接続されていても良いし、互いに連結された第２部２２０ａ及び第４部２２０ｂの双方が接続されていても良い。後者の場合、上記の通り、第２部２２０ａ及び第４部２２０ｂが係合手段３００を介して連結される構成とすることが可能である。この場合、係合手段３００が上記連結部材となる。なお、第２部２２０ａ及び第４部２２０ｂが物干し竿や家屋の梁等に結ばれる場合には、係合手段３００は省略すると良い。
【００３１】
竿部１００は、更に以下の１）〜３）の何れかの構成を有していても良いが、これに限定されることはない。すなわち、竿部１００は、１）〜３）の何れかの構成を有していなくても良い。
【００３２】
１）竿部１００は、Ｘ−Ｘ’方向に並ぶ複数のパーツを有する構成とすることが可能である。複数のパーツのうちの隣り合うパーツは着脱可能に連結されている。複数のパーツは、少なくともパーツ１１０ａ及びパーツ１１０ｂを含んでいると良い。パーツ１１０ａは、複数のパーツのうちの最もＸ方向の端に位置しており、パーツ１１０ｂは、複数のパーツのうちの最もＸ’方向の端に位置している。パーツ１１０ａは、上記した何れかの態様の第１端部１１１ａを有していても良く、パーツ１１０ｂは、上記した何れかの態様の第２端部１１１ｂを有しても良い。又は、パーツ１１０ａを含む複数のパーツが、上記した何れかの態様の第１端部１１１ａを構成しており、パーツ１１０ｂを含む複数のパーツが上記した何れかの態様の第２端部１１１ｂを構成していても良い。
【００３３】
図１Ａ〜図１Ｆでは、竿部１００は、隣り合い且つ着脱可能に連結されたパーツ１１０ａ及びパーツ１１０ｂを有している。より具体的には、パーツ１１０ｂの嵌合突部１１４ｂが、パーツ１１０ａのＸ’方向の端部内（嵌合孔１１４ａ）に着脱可能に嵌合している。図１Ｇに示されるようにパーツ１１０ｂの嵌合突部１１４ｂをパーツ１１０ａの嵌合孔１１４ａから抜くことで、パーツ１１０ａとパーツ１１０ｂと分離できる。図２Ａ〜図２Ｆでは、竿部１００は、パーツ１１０ａ、１１０ｂ、１１０ｃ及び１１０ｄを有しており、隣り合うパーツ１１０ａ、１１０ｃが着脱自在に連結され、隣り合うパーツ１１０ｃ、１１０ｄが着脱自在に連結され、隣り合うパーツ１１０ｄ、１１０ｂが着脱自在に連結されている。より具体的には、パーツ１１０ｂのＸ方向の端部（嵌合突部１１４ｂ）が、パーツ１１０ｄのＸ’方向の端部内（嵌合孔１１４ｄ）に着脱可能に嵌合し、パーツ１１０ｄのＸ方向の端部（嵌合突部１１５ｄ）が、パーツ１１０ｃのＸ’方向の端部内（嵌合孔１１５ｃ）に着脱可能に嵌合し、且つパーツ１１０ｃのＸ方向の端部（嵌合突部１１４ｃ）が、パーツ１１０ａのＸ’方向の端部内（嵌合孔１１４ａ）に着脱可能に嵌合している。パーツ１１０ｂの嵌合突部１１４ｂをパーツ１１０ｄの嵌合孔１１４ｄから抜き、パーツ１１０ｄの嵌合突部１１５ｄをパーツ１１０ｃの嵌合孔１１５ｃから抜き、且つパーツ１１０ｃの嵌合突部１１４ｃをパーツ１１０ａの嵌合孔１１４ａから抜くことで、パーツ１１０ａ〜１１０ｄを各々分離できる。図３Ａに示されるように、パーツ１１０ｄを除去することも可能である。この場合、パーツ１１０ｂのＸ方向の端部（嵌合突部１１４ｂ）が、パーツ１１０ｃのＸ’方向の端部内（嵌合孔１１５ｃ）に着脱可能に嵌合し、且つパーツ１１０ｃのＸ方向の端部（嵌合突部１１４ｃ）が、パーツ１１０ａのＸ’方向の端部内（嵌合孔１１４ａ）に着脱可能に嵌合している。
なお、パーツ１１０ａは第１端部１１１ａを有し、パーツ１１０ｂは第２端部１１１ｂを有している。
【００３４】
２）竿部１００は、第１端部１１１ａと第２端部１１１ｂとの間に図示しない折り曲げ部が設けられた態様とすることが可能である。折り曲げ部は、展開位置から折り畳み位置にかけて折り曲げ可能である。展開位置は、竿部１００の第１端部１１１ａがＸ方向に向き、且つ竿部１００の第２端部１１１ｂがＸ’方向に向く位置とすると良い。折り畳み位置は、竿部１００の第１端部１１１ａと竿部１００の第２端部１１１ｂとが互いに沿う又は当接する位置とすると良い。
【００３５】
３）竿部１００は、Ｘ−Ｘ’方向に伸縮可能な構成である。例えば、竿部１００は、異なる内径を有する複数の円筒又は異なる内形を有する複数の多角筒を有しており、隣り合う円筒又は多角筒のうちの一方が他方内にＸ−Ｘ’方向に移動自在に内嵌している。円筒又は多角筒のうちの最もＸ方向の端に位置する円筒又は多角筒は、上記した何れかの態様の第１端部１１１ａを有していても良い。円筒又は多角筒のうちの最もＸ’方向の端に位置する円筒又は多角筒は、上記した何れかの態様の第２端部１１１ｂを有していても良い。又は、最もＸ方向の端に位置する円筒又は多角筒を含む複数の円筒又は多角筒が上記した何れかの態様の第１端部１１１ａを構成しており、最もＸ’方向の端に位置する円筒又は多角筒を含む複数の円筒又は多角筒が上記した何れかの態様の第２端部１１１ｂを構成していても良い。
【００３６】
以下、図１Ａ〜図３Ｂに示されるハンガーＨ１の使用方法について説明する。第１吊り下げ支持部２００ａの第１部２１０ａを竿部１００の第１端部１１１ａの第１係合部１１２ａ内に挿入し、そのＺ’方向側で結ぶ。これにより、第１部２１０ａの結び目が第１係合部１１２ａの縁部に当接する。このようにして第１部２１０ａが第１係合部１１２ａに係合される。同様に、第２吊り下げ支持部２００ｂの第３部２１０ｂを竿部１００の第２端部１１１ｂの第３係合部１１２ｂ内に挿入し、そのＺ’方向側で結ぶ。これにより、第３部２１０ｂの結び目が第３係合部１１２ｂの縁部に当接する。このようにして第３部２１０ｂが第３係合部１１２ｂに係合される。この状態で、係合手段３００を物干し竿や家屋の窓枠に係合させ、上着をハンガーＨ１に掛けると、上着の一対の肩の一方が第１吊り下げ支持部２００ａに支持され、一対の肩の他方が第２吊り下げ支持部２００ｂに支持される。なお、第１部２１０ａの結び目を解き、第１部２１０ａを第１係合部１１２ａから抜くことで、第１部２１０ａと第１係合部１１２ａとの係合を解除でき、第３部２１０ｂの結び目を解き、第３部２１０ｂを第３係合部１１２ｂから抜くことで、第３部２１０ｂと第３係合部１１２ｂとの係合を解除できる。
【００３７】
一方、第１吊り下げ支持部２００ａの第１部２１０ａを竿部１００の第１端部１１１ａの第２係合部１１３ａ内に挿入し、そのＺ’方向側で結ぶ。これにより、第１部２１０ａの結び目が第２係合部１１３ａの縁部に当接する。このようにして第１部２１０ａが第２係合部１１３ａに係合される。すると、第１端部１１１ａの第１延出部が第１部２１０ａよりＸ方向に延出する。同様に、第２吊り下げ支持部２００ｂの第３部２１０ｂを竿部１００の第２端部１１１ｂの第４係合部１１３ｂ内に挿入し、そのＺ’方向側で結ぶ。これにより、第３部２１０ｂの結び目が第４係合部１１３ｂの縁部に当接する。このようにして第３部２１０ｂが第４係合部１１３ｂに係合される。すると、第２端部１１１ｂの第２延出部が第３部２１０ｂよりＸ’方向に延出する。この状態で、係合手段３００を物干し竿や家屋の窓枠に係合させ、第１端部１１１ａの第１延出部にリュックの一対のショルダーストラップの一方、一対の靴の一方又は一対の靴下の一方等を掛け、第２端部１１１ｂの第２延出部にリュックの一対のショルダーストラップの他方、一対の靴の他方又は一対の靴下の他方等を掛ける。なお、第１部２１０ａの結び目を解き、第１部２１０ａを第２係合部１１３ａから抜くことで、第１部２１０ａと第２係合部１１３ａとの係合が解除でき、第３部２１０ｂの結び目を解き、第３部２１０ｂを第４係合部１１３ｂから抜くことで、第３部２１０ｂと第４係合部１１３ｂとの係合を解除できる。
【００３８】
以上のようなハンガーＨ１は以下の技術的特徴及び効果を有している。第１に、第１吊り下げ支持部２００ａの第１部２１０ａを第１係合部１１２ａ及び第２係合部１１３ａに選択的に係合させると共に、第２吊り下げ支持部２００ｂの第３部２１０ｂを第３係合部１１２ｂ及び第４係合部１１３ｂに選択的に係合させることによって、上記の通りハンガーＨ１に多種の物を干すことができる。
【００３９】
第２に、ハンガーＨ１の竿部１００が、上記複数のパーツを有する場合、折り曲げ部を有する場合又は伸縮可能な構成である場合、ハンガーＨ１の可搬性が向上する。その理由は以下の通りである。１）竿部１００を複数のパーツに分離にするよって、ハンガーＨ１をコンパクトにすることができる。２）竿部１００を折り曲げ部で折り曲げ、竿部１００の第１端部１１１ａと第２端部１１１ｂとを互いに沿う又は互いに当接するように竿部１００を折り畳むことによって、ハンガーＨ１をコンパクトにすることができる。３）竿部１００を縮めることによって、ハンガーＨ１をコンパクトにすることができる。また、ハンガーＨ１の第１吊り下げ支持部２００ａ及び第２吊り下げ支持部２００ｂが紐や鎖で構成されている場合も、第１吊り下げ支持部２００ａ及び第２吊り下げ支持部２００ｂを可撓させ、ハンガーＨ１をコンパクトにすることができるので、ハンガーＨ１の可搬性が向上する。
【実施例２】
【００４０】
以下、本発明の実施例２を含む複数の実施例に係るハンガーＨ２について、図４を参照しつつ説明する。図４には、前記実施例のうちの一つの実施例（実施例２）に係るハンガーＨ２が示されている。図４にも、Ｘ−Ｘ’方向及びＺ−Ｚ’方向が、実施例１と同様に示されている。
【００４１】
ハンガーＨ２は、第１係合部１１２ａ’、第２係合部１１３ａ’、第３係合部１１２ｂ’及び第４係合部１１３ｂ’の構成がハンガーＨ１の第１係合部１１２ａ、第２係合部１１３ａ、第３係合部１１２ｂ及び第４係合部１１３ｂの構成と相違している以外、ハンガーＨ１と同じ構成である。よって、その相違点についてのみ詳しく説明し、ハンガーＨ１と重複する説明は省略する。
【００４２】
第１係合部１１２ａ’は竿部１００’の第１端部１１１ａ’のＸ方向の端部に設けられ、第２係合部１１３ａ’は第１端部１１１ａ’の第１係合部１１２ａ’よりもＸ’方向側に設けられている。第１係合部１１２ａ’及び第２係合部１１３ａ’は、以下の１）又は２）の構成とすることが可能である。１）第１係合部１１２ａ’及び第２係合部１１３ａ’は、Ｚ方向に凸のタブを各々有しており、当該タブに係合孔が設けられている。２）第１係合部１１２ａ’及び第２係合部１１３ａ’は、フック等の係合手段を各々有している。
【００４３】
第３係合部１１２ｂ’は竿部１００’の第２端部１１１ｂ’のＸ’方向の端部に設けられ、第４係合部１１３ｂ’は第２端部１１１ｂ’の第３係合部１１２ｂ’よりもＸ方向側に設けられている。第３係合部１１２ｂ’及び第４係合部１１３ｂ’も、第１係合部１１２ａ’及び第２係合部１１３ａ’の上記１）又は２）の構成と同様の構成とすることが可能である。
【００４４】
第１係合部１１２ａ’及び第２係合部１１３ａ’が上記係合孔を有している場合、第１吊り下げ支持部２００ａの第１部２１０ａは、以下の１）又は２）の構成とすることが可能である。１）第１部２１０ａは、第１係合部１１２ａ’及び第２係合部１１３ａ’の何れか一方の係合孔に挿通され、固定されている。２）第１部２１０ａは、第１係合部１１２ａ’及び第２係合部１１３ａ’の何れか一方の係合孔に係合可能なフックやカラビナ等の係合手段を有している。
【００４５】
第１係合部１１２ａ’及び第２係合部１１３ａ’が上記係合手段を有している場合、第１吊り下げ支持部２００ａの第１部２１０ａには、第１係合部１１２ａ’の係合手段及び第２係合部１１３ａ’の係合手段が選択的に係合可能なリングが設けられていると良い。
【００４６】
第３係合部１１２ｂ’及び第４係合部１１３ｂ’が上記係合孔を有している場合、第２吊り下げ支持部２００ｂの第３部２１０ｂは、以下の１）又は２）の構成とすることが可能である。１）第３部２１０ｂは、第３係合部１１２ｂ’及び第４係合部１１３ｂ’の何れか一方の係合孔に挿通され、固定されている。２）第３部２１０ｂは、第３係合部１１２ｂ’及び第４係合部１１３ｂ’の何れか一方の係合孔に係合可能なフックやカラビナ等の係合手段を有している。
【００４７】
第３係合部１１２ｂ’及び第４係合部１１３ｂ’が上記係合手段を有している場合、第２吊り下げ支持部２００ｂの第３部２１０ｂには、第３係合部１１２ｂ’の係合手段及び第４係合部１１３ｂ’の係合手段が選択的に係合可能なリングが設けられていると良い。
【００４８】
なお、竿部１００’は、竿部１００と同様に、複数のパーツを有する構成、折り曲げ部を有する構成又は伸縮可能な構成とすることが可能である。図４に示される１１０ａ’及び１１０ｂ’は、竿部１００’のパーツである。
【００４９】
以下、ハンガーＨ２の使用方法について説明する。第１吊り下げ支持部２００ａの第１部２１０ａを竿部１００’の第１端部１１１ａ’の第１係合部１１２ａ’に係合させる。同様に、第２吊り下げ支持部２００ｂの第３部２１０ｂを竿部１００’の第２端部１１１ｂ’の第３係合部１１２ｂ’に係合させる。この状態で、係合手段３００を物干し竿や家屋の窓枠に係合させ、上着をハンガーＨ２に掛けると、上着の一対の肩の一方が第１吊り下げ支持部２００ａに支持され、一対の肩の他方が第２吊り下げ支持部２００ｂに支持される。なお、付け替え時に、第１部２１０ａと第１係合部１１２ａ’との係合が解除でき、第３部２１０ｂと第３係合部１１２ｂ’との係合を解除できる。
【００５０】
一方、第１吊り下げ支持部２００ａの第１部２１０ａを竿部１００’の第１端部１１１ａ’の第２係合部１１３ａ’に係合される。すると、第１端部１１１ａ’の第１延出部が第１部２１０ａよりＸ方向に延出する。同様に、第２吊り下げ支持部２００ｂの第３部２１０ｂを竿部１００’の第２端部１１１ｂ’の第４係合部１１３ｂ’に係合される。すると、第２端部１１１ｂ’の第２延出部が第３部２１０ｂよりＸ’方向に延出する。この状態で、係合手段３００を物干し竿や家屋の窓枠に係合させ、第１端部１１１ａ’の第１延出部にリュックの一対のショルダーストラップの一方、一対の靴の一方又は一対の靴下の一方等を掛け、第２端部１１１ｂ’の第２延出部にリュックの一対のショルダーストラップの他方、一対の靴の他方又は一対の靴下の他方等を掛ける。なお、付け替え時に、第１部２１０ａと第２係合部１１３ａ’との係合を解除でき、第３部２１０ｂと第４係合部１１３ｂ’との係合を解除できる。
【００５１】
以上のようなハンガーＨ２は、ハンガーＨ１の第１及び第２技術的特徴と同様の技術的特徴及び効果を有している。
【実施例３】
【００５２】
以下、本発明の実施例３を含む複数の実施例に係るハンガーＨ３について、図５を参照しつつ説明する。図５には、前記実施例のうちの一つの実施例（実施例３）に係るハンガーＨ３が示されている。図５にも、Ｘ−Ｘ’方向及びＺ−Ｚ’方向が、実施例１と同様に示されている。
【００５３】
ハンガーＨ３は、下記１）及び２）の相違点以外、ハンガーＨ１と略同じ構成である。１）ハンガーＨ３の竿部１００’’の構成がハンガーＨ１の竿部１００の構成と相違している。２）第１吊り下げ支持部２００ａの第１部２１０ａが竿部１００’’の第１端部１１１ａ’’にＸ−Ｘ’方向に移動自在に接続され、第２吊り下げ支持部２００ｂの第３部２１０ｂが竿部１００’’の第２端部１１１ｂ’’にＸ−Ｘ’方向に移動自在に接続されている。よって、これらの相違点についてのみ詳しく説明し、ハンガーＨ１と重複する説明は省略する。
【００５４】
竿部１００’’は、上記の通り第１吊り下げ支持部２００ａの第１部２１０ａ及び第２吊り下げ支持部２００ｂの第３部２１０ｂが移動自在に接続されており、且つ第１吊り下げ支持部２００ａ及び第２吊り下げ支持部２００ｂに吊り下げ支持されるものであれば良い。竿部１００’’は、例えば、図５に示されるように、Ｘ−Ｘ’方向に直線状に延びた棒又は筒とすることが可能である。又は、竿部１００’’は、Ｘ−Ｘ’方向に延び且つＺ方向又はＺ’方向に凸の円弧状又は逆Ｖ字状の棒又は筒とすることが可能である。又は、竿部１００’’は、Ｘ−Ｘ’方向に延びた略Ω字状の棒又は筒とすることが可能である。
【００５５】
竿部１００’’は、第１端部１１１ａ’’と、第２端部１１１ｂ’’と、第１ランナー４００ａと、第２ランナー４００ｂとを有している。第１端部１１１ａ’’は、竿部１００’’のＸ方向の端部であり、第２端部１１１ｂ’’は竿部１００’’のＸ’方向の端部である。
【００５６】
第１ランナー４００ａは、第１端部１１１ａ’’に第１位置と第２位置との間でＸ−Ｘ’方向に移動自在に案内される構成であれば良い。第１位置は、図５に示されるように第１ランナー４００ａが第１端部１１１ａ’’のＸ方向の端部に位置する位置である。第２位置は、第１ランナー４００ａが第１端部１１１ａ’’の第１位置よりもＸ’方向側に位置する位置である。図示しないストッパが第１ランナー４００ａのＸ’方向側から当接するように第１端部１１１ａ’’に着脱可能に取り付けられることによって、第１ランナー４００ａは、第１位置又は第２位置で位置固定される構成とすることが可能である。又は、第１ランナー４００ａは、ランナー本体と、摺動部とを有する構成とすることが可能である。摺動部は、第１端部１１１ａ’’にＸ−Ｘ’方向に摺動自在に外嵌したゴムスリーブ等である。スライダ本体は、摺動部に固定されており且つ摺動部と共に抵抗力に抗してＸ−Ｘ’方向に移動自在である。前記抵抗力は、摺動部と第１端部１１１ａ’’との間に生じる。この抵抗力によって、第１ランナー４００ａが第１位置又は第２位置で位置固定される。
【００５７】
第１ランナー４００ａは、更に以下の１）又は２）の構成とすることが可能である。１）第１ランナー４００ａは、Ｚ方向に凸のタブを各々有しており、当該タブに係合孔が設けられている。２）第１ランナー４００ａは、フック等の係合手段を有している。
【００５８】
第２ランナー４００ｂは、第２端部１１１ｂ’’に第３位置と第４位置との間でＸ−Ｘ’方向に移動自在に案内される構成であればと良い。第３位置は、第２ランナー４００ｂが第２端部１１１ｂ’’のＸ’方向の端部に位置する位置である。第４位置は、第２ランナー４００ｂが第２端部１１１ｂ’’の第３位置よりもＸ方向側に位置する位置である。これら以外については、第２ランナー４００ｂは、上記した何れかの態様の第１ランナー４００ａと同様の構成とすることが可能である。
【００５９】
第１ランナー４００ａが上記係合孔を有している場合、第１吊り下げ支持部２００ａの第１部２１０ａは、以下の１）又は２）の構成とすることが可能である。１）第１部２１０ａは第１ランナー４００ａの係合孔に挿通され、固定されている。２）第１部２１０ａは第１ランナー４００ａの係合孔に係合されるフックやカラビナ等の係合手段を有している。第１ランナー４００ａが上記係合手段を有している場合、第１吊り下げ支持部２００ａの第１部２１０ａには、第１ランナー４００ａの係合手段が係合されるリングが設けられていると良い。
【００６０】
第２ランナー４００ｂが上記係合孔を有している場合、第２吊り下げ支持部２００ｂの第３部２１０ｂは、以下の１）又は２）の構成とすることが可能である。１）第３部２１０ｂは第２ランナー４００ｂの係合孔に挿通され、固定されている。２）第３部２１０ｂは第２ランナー４００ｂの係合孔に係合されるフックやカラビナ等の係合手段を有している。第２ランナー４００ｂが上記係合手段を有している場合、第２吊り下げ支持部２００ｂの第３部２１０ｂには、第２ランナー４００ｂの係合手段が係合されるリングが設けられていると良い。
【００６１】
第１ランナー４００ａ及び第１部２１０ａが第１位置に位置し且つ第２ランナー４００ｂ及び第３部２１０ｂが第３位置に位置している状態で、第１吊り下げ支持部２００ａは図示しない上着の一対の肩の一方を支持可能なハンガーＨ３の一方の肩部となり、且つ第２吊り下げ支持部２００ｂは上着の前記肩の他方を支持可能なハンガーＨ３の他方の肩部となる。一方、第１ランナー４００ａ及び第１部２１０ａが第２位置に位置し且つ第２ランナー４００ｂ及び第３部２１０ｂが第４位置に位置している状態で、竿部１００’’の第１端部１１１ａ’’の第１ランナー４００ａよりもＸ方向側の部分が、第１吊り下げ支持部２００ａの第１部２１０ａ（第１ランナー４００ａ）よりもＸ方向に延出し、竿部１００’’の第２端部１１１ｂ’’の第２ランナー４００ｂよりもＸ’方向側の部分が、第２吊り下げ支持部２００ｂの第３部２１０ｂ（第２ランナー４００ｂ）よりもＸ’方向に延出する。以下、第１端部１１１ａ’’の延出部を第１延出部と称し、第２端部１１１ｂ’’の延出部を第２延出部と称する。第１延出部にリュックの一対のショルダーストラップの一方、一対の靴の一方又は一対の靴下の一方等を掛け、第２延出部にリュックの一対のショルダーストラップの他方、一対の靴の他方又は一対の靴下の他方等を掛けることが可能になる。
【００６２】
なお、竿部１００’’は、竿部１００と同様に、複数のパーツを有する構成、折り曲げ部を有する構成又は伸縮可能な構成とすることが可能である。図５に示される１１０ａ’’及び１１０ｂ’’は、竿部１００’’のパーツである。
【００６３】
以下、図５に示されるハンガーＨ３の使用方法について説明する。第１吊り下げ支持部２００ａの第１部２１０ａ及び第１ランナー４００ａを竿部１００’’の第１端部１１１ａ’’上の第１位置に位置固定させる。同様に、第２吊り下げ支持部２００ｂの第３部２１０ｂ及び第２ランナー４００ｂを竿部１００’’の第２端部１１１ｂ’’上の第３位置に位置固定させる。この状態で、係合手段３００を物干し竿や家屋の窓枠に係合させ、上着をハンガーＨ３に掛けると、上着の一対の肩の一方が第１吊り下げ支持部２００ａに支持され、一対の肩の他方が第２吊り下げ支持部２００ｂに支持される。
【００６４】
第１吊り下げ支持部２００ａの第１部２１０ａ及び第１ランナー４００ａを竿部１００’’の第１端部１１１ａ’’上の第１位置から第２位置へ移動させ、第２位置で位置固定させる。すると、竿部１００’’の第１端部１１１ａ’’の第１延出部が第１部２１０ａよりＸ方向に延出する。同様に、第２吊り下げ支持部２００ｂの第３部２１０ｂ及び第２ランナー４００ｂを竿部１００’’の第２端部１１１ｂ’’上の第３位置から第４位置へ移動させ、第４位置で位置固定させる。すると、第２端部１１１ｂ’’の第２延出部が第３部２１０ｂよりＸ’方向に延出する。この状態で、係合手段３００を物干し竿や家屋の窓枠に係合させ、第１端部１１１ａ’’の第１延出部にリュックの一対のショルダーストラップの一方、一対の靴の一方又は一対の靴下の一方等を掛け、第２端部１１１ｂ’’の第２延出部にリュックの一対のショルダーストラップの他方、一対の靴の他方又は一対の靴下の他方等を掛ける。
【００６５】
以上のようなハンガーＨ３は、ハンガーＨ１の第１及び第２技術的特徴と同様の技術的特徴及び効果を有している。
【実施例４】
【００６６】
以下、本発明の実施例４を含む複数の実施例に係るハンガーＨ４について、図６を参照しつつ説明する。図６には、前記実施例のうちの一つの実施例（実施例４）に係るハンガーＨ４が示されている。
【００６７】
ハンガーＨ４は、ハンガーＨ４の竿部５００の構成がハンガーＨ４の竿部１００’’の構成と相違している以外、ハンガーＨ３と略同じ構成である。よって、これらの相違点についてのみ詳しく説明し、ハンガーＨ３と重複する説明は省略する。
【００６８】
竿部５００は、第１吊り下げ支持部２００ａの第１部２１０ａ及び第２吊り下げ支持部２００ｂの第３部２１０ｂが移動自在に接続されており、且つ第１吊り下げ支持部２００ａ及び第２吊り下げ支持部２００ｂに吊り下げ支持されるものであれば良い。竿部５００は、例えば、図６に示されるように、Ｘ−Ｘ’方向に直線状に延びた棒又は筒とすることが可能である。又は、竿部５００は、Ｘ−Ｘ’方向に延び且つＺ方向又はＺ’方向に凸の円弧状又は逆Ｖ字状の棒又は筒とすることが可能である。又は、竿部５００は、Ｘ−Ｘ’方向に延びた略Ω字状の棒又は筒とすることが可能である。
【００６９】
竿部５００は、第１端部５１１ａと、第２端部５１１ｂとを有している。第１端部５１１ａは、竿部５００のＸ方向の端部であり、第２端部５１１ｂは竿部５００のＸ’方向の端部である。
【００７０】
第１端部５１１ａには、Ｘ−Ｘ’方向に延びる第１溝５１２ａが形成されている。第２端部５１１ｂには、Ｘ−Ｘ’方向に延びる第２溝５１２ｂが形成されている。図６に示されるように、第１溝５１２ａにはゴム等で構成された第１滑り止め５２０ａが、第２溝５１２ｂにはゴム等で構成された第２滑り止め５２０ｂが取り付けられていても良いが、これに限定されることはない。
【００７１】
第１吊り下げ支持部２００ａの第１部２１０ａは、第１端部５１１ａに第１位置と第２位置との間でＸ−Ｘ’方向に移動自在に案内される第１ランナーを有している。第１位置は、図６に示されるように第１ランナーが第１端部５１１ａのＸ方向の端部に位置する位置である。第２位置は、第１ランナーが第１端部５１１ａの第１位置よりもＸ’方向側に位置する位置である。
【００７２】
第１ランナーは、例えば、以下の１）又は２）の構成とすることが可能である。１）第１ランナーは、図６に示されるように、第１部２１０ａを結んだ結び目及びその上側部分であって、第１端部５１１ａ内をＸ−Ｘ’方向に移動自在に案内されている。第１溝５１２ａに第１滑り止め５２０ａが取り付けられている場合、第１部２１０ａの結び目の上側部分が第１滑り止め５２０ａ内をＸ−Ｘ’方向に摺動する。第１部２１０ａの結び目の上側部分と第１滑り止め５２０ａとの間で生じる抵抗力によって、第１ランナーが第１位置で位置固定される。第１部２１０ａの結び目の上側部分が第１滑り止め５２０ａのＸ’方向の端に当接することによって、第１ランナーが第２位置で位置固定される。第１溝５１２ａに第１滑り止め５２０ａが取り付けられていない場合、図示しないストッパが第１位置の第１部２１０ａの結び目の上側部分にＸ’方向側から当接するように第１溝５１２ａに着脱可能に取り付けられることによって、第１ランナーは第１位置で位置固定され、第１部２１０ａの結び目の上側部分が第１溝５１２ａのＸ’方向の端に当接することによって、第１ランナーが第２位置で位置固定される。
【００７３】
２）は、第１ランナーは、第１部２１０ａに設けられており且つ第１溝５１２ａ内をＸ−Ｘ’方向に移動自在に案内されている。第１溝５１２ａに第１滑り止め５２０ａが取り付けられている場合、第１ランナーが第１滑り止め５２０ａ内をＸ−Ｘ’方向に摺動する。第１ランナーと第１滑り止め５２０ａとの間で生じる抵抗力によって、第１ランナーが第１位置で位置固定される。第１ランナーが第１滑り止め５２０ａのＸ’方向の端に当接することによって、第１ランナーが第２位置で位置固定される。第１溝５１２ａに第１滑り止め５２０ａが取り付けられていない場合、図示しないストッパが第１位置の第１ランナーにＸ’方向側から当接するように第１溝５１２ａに着脱可能に取り付けられることによって、第１ランナーは第１位置で位置固定され、第１ランナーが第１溝５１２ａのＸ’方向の端に当接することによって、第１ランナーが第２位置で位置固定される。
【００７４】
第２吊り下げ支持部２００ｂの第３部２１０ｂは、第２端部５１１ｂに第３位置と第４位置との間でＸ−Ｘ’方向に移動自在に案内される第２ランナーを有している。第３位置は、第２ランナーが第２端部５１１ｂのＸ’方向の端部に位置する位置である。第４位置は、第２ランナーが第２端部５１１ｂの第３位置よりもＸ方向側に位置する位置である。
【００７５】
第２ランナーは、例えば、以下の１）又は２）の構成とすることが可能である。１）第２ランナーは、図６に示されるように、第３部２１０ｂを結んだ結び目及びその上側部分であって、第２端部５１１ｂ内をＸ−Ｘ’方向に移動自在に案内されている。第２溝５１２ｂに第２滑り止め５２０ｂが取り付けられている場合、第３部２１０ｂの結び目の上側部分が第２滑り止め５２０ｂ内をＸ−Ｘ’方向に摺動する。第３部２１０ｂの結び目の上側部分と第２滑り止め５２０ｂとの間で生じる抵抗力によって、第２ランナーが第３位置で位置固定される。第３部２１０ｂの結び目の上側部分が第２滑り止め５２０ｂのＸ方向の端に当接することによって、第２ランナーが第４位置で位置固定される。第２溝５１２ｂに第２滑り止め５２０ｂが取り付けられていない場合、図示しないストッパが第３位置の第３部２１０ｂの結び目の上側部分にＸ方向側から当接するように第２溝５１２ｂに着脱可能に取り付けられることによって、第２ランナーは第３位置で位置固定され、第３部２１０ｂの結び目の上側部分が第２溝５１２ｂのＸ方向の端に当接することによって、第２ランナーが第４位置で位置固定される。
【００７６】
２）は、第２ランナーは、第３部２１０ｂに設けられており且つ第２溝５１２ｂ内をＸ−Ｘ’方向に移動自在に案内されている。第２溝５１２ｂに第２滑り止め５２０ｂが取り付けられている場合、第２ランナーが第２滑り止め５２０ｂ内をＸ−Ｘ’方向に摺動する。第２ランナーと第２滑り止め５２０ｂとの間で生じる抵抗力によって、第２ランナーが第３位置で位置固定される。第２ランナーが第２滑り止め５２０ｂのＸ方向の端に当接することによって、第２ランナーが第４位置で位置固定される。第２溝５１２ｂに第２滑り止め５２０ｂが取り付けられていない場合、図示しないストッパが第３位置の第２ランナーにＸ方向側から当接するように第２溝５１２ｂに着脱可能に取り付けられることによって、第２ランナーは第３位置で位置固定され、第２ランナーが第２溝５１２ｂのＸ’方向の端に当接することによって、第２ランナーが第４位置で位置固定される。
【００７７】
第１ランナー及び第１部２１０ａが第１位置に位置し且つ第２ランナー及び第３部２１０ｂが第３位置に位置している状態で、第１吊り下げ支持部２００ａは図示しない上着の一対の肩の一方を支持可能なハンガーＨ４の一方の肩部となり、且つ第２吊り下げ支持部２００ｂは上着の前記肩の他方を支持可能なハンガーＨ４の他方の肩部となる。一方、第１ランナー及び第１部２１０ａが第２位置に位置し且つ第２ランナー及び第３部２１０ｂが第４位置に位置している状態で、竿部５００の第１端部５１１ａの第１ランナーよりもＸ方向側の部分が、第１吊り下げ支持部２００ａの第１部２１０ａ（第１ランナー）よりもＸ方向に延出し、竿部５００の第２端部５１１ｂの第２ランナーよりもＸ’方向側の部分が、第２吊り下げ支持部２００ｂの第３部２１０ｂ（第２ランナー）よりもＸ’方向に延出する。以下、第１端部５１１ａの延出部を第１延出部と称し、第２端部５１１ｂの延出部を第２延出部と称する。第１延出部にリュックの一対のショルダーストラップの一方、一対の靴の一方又は一対の靴下の一方等を掛け、第２延出部にリュックの一対のショルダーストラップの他方、一対の靴の他方又は一対の靴下の他方等を掛けることが可能になる。
【００７８】
なお、竿部５００は、竿部１００と同様に、複数のパーツを有する構成、折り曲げ部を有する構成又は伸縮可能な構成とすることが可能である。図６に示される５１０ａ及び５１０ｂは、竿部５００のパーツであり、５１３ａはパーツ５１０ａの嵌合孔、５１３ｂはパーツ５１０ｂの嵌合突部である。
【００７９】
図６に示されるハンガーＨ４は、ハンガーＨ３と同様に使用可能である。以上のようなハンガーＨ４は、ハンガーＨ３の第１及び第２技術的特徴と同様の技術的特徴及び効果を有している。
【００８０】
なお、上記したハンガーは、上記実施例に限定されるものではなく、特許請求の範囲の記載範囲において任意に設計変更することが可能である。
【００８１】
なお、上記実施例の各態様及び設計変形例におけるハンガーの各構成要素を構成する素材、形状、寸法、数及び配置等はその一例を説明したものであって、同様の機能を実現し得る限り任意に設計変更することが可能である。上述した実施例の各態様及び設計変更例は、互いに矛盾しない限り、相互に組み合わせることが可能である。なお、本発明の第１方向は、本発明の竿部が延びた方向である限り任意に設定可能である。
【符号の説明】
【００８２】
Ｈ１：ハンガー
１００：竿部
１１０ａ：パーツ
１１１ａ：第１端部
１１２ａ：第１係合部
１１３ａ：第２係合部
１１４ａ：嵌合孔
１１０ｂ：パーツ
１１１ｂ：第２端部
１１２ｂ：第３係合部
１１３ｂ：第４係合部
１１４ｂ：嵌合突部
２００ａ：第１吊り下げ支持部
２１０ａ：第１部
２２０ａ：第２部
２００ｂ：第２吊り下げ支持部
２１０ｂ：第３部
２２０ｂ：第４部
３００：係合手段
Ｈ２：ハンガー
１００’：竿部
１１０ａ’：パーツ
１１１ａ’：第１端部
１１２ａ’：第１係合部
１１３ａ’：第２係合部
１１０ｂ’：パーツ
１１１ｂ’：第２端部
１１２ｂ’：第３係合部
１１３ｂ’：第４係合部
２００ａ：第１吊り下げ支持部
２１０ａ：第１部
２２０ａ：第２部
２００ｂ：第２吊り下げ支持部
２１０ｂ：第３部
２２０ｂ：第４部
３００：係合手段
Ｈ３：ハンガー
１００’’：竿部
１１０ａ’’：パーツ
１１１ａ’’：第１端部
４００ａ：第１ランナー
１１０ｂ’’：パーツ
１１１ｂ’’：第２端部
４００ｂ：第２ランナー
２００ａ：第１吊り下げ支持部
２１０ａ：第１部
２２０ａ：第２部
２００ｂ：第２吊り下げ支持部
２１０ｂ：第３部
２２０ｂ：第４部
３００：係合手段
Ｈ４：ハンガー
５００：竿部
５１０ａ：パーツ
５１１ａ：第１端部
５１２ａ：第１溝
５１３ａ：嵌合孔
５２０ａ：第１滑り止め
５１０ｂ：パーツ
５１１ｂ：第２端部
５１２ｂ：第２溝
５１３ｂ：第２嵌合突部
５２０ｂ：第２滑り止め
２００ａ：第１吊り下げ支持部
２１０ａ：第１部
２２０ａ：第２部
２００ｂ：第２吊り下げ支持部
２１０ｂ：第３部
２２０ｂ：第４部
３００：係合手段
【図１Ａ】
2018023782.tif 000003
【図１Ｂ】
2018023782.tif 000004
【図１Ｃ】
2018023782.tif 000005
【図１Ｄ】
2018023782.tif 000006
【図１Ｅ】
2018023782.tif 000007
【図１Ｆ】
2018023782.tif 000008
【図１Ｇ】
2018023782.tif 000009
【図２Ａ】
2018023782.tif 000010
【図２Ｂ】
2018023782.tif 000011
【図２Ｃ】
2018023782.tif 000012
【図２Ｄ】
2018023782.tif 000013
【図２Ｅ】
2018023782.tif 000014
【図２Ｆ】
2018023782.tif 000015
【図３Ａ】
2018023782.tif 000016
【図３Ｂ】
2018023782.tif 000017
【図４】
2018023782.tif 000018
【図５】
2018023782.tif 000019
【図６】
2018023782.tif 000020